(57)【要約】【課題】回転ブラシのブラシ体が絨毯等の被掃除面に当たっても腰折れし難い床用吸込具を提供することを課題とする。【解決手段】下面に吸込口６を有する吸込具本体１と、前記吸込口６に臨ませて回転する回転ブラシ８と、該回転ブラシ８の芯体９に形成された溝１０に基部１１を挿入して装着されるブラシ体１２とを備え、前記基部１１は、前記芯体９の溝１０に挿入した状態で前記芯体９の外径よりも突出する突出部１５を有する。絨毯等の被掃除面に前記ブラシ体１２が当たっても、前記突出部１５により前記ブラシ体１２の腰折れを抑制することができ、前記ブラシ体１２によって、絨毯の毛の奥にある塵埃を掻き出すことができ、塵埃の吸い残しが発生しない。【選択図】        図４
2006122065.tif 000002
【特許請求の範囲】
【請求項１】
下面に吸込口を有する吸込具本体と、前記吸込口に臨ませて回転する回転ブラシと、該回転ブラシの芯体に形成された溝に基部を挿入して装着されるブラシ体とを備え、前記基部は、前記芯体の溝に挿入した状態で前記芯体の外径よりも突出する突出部を有することを特徴とする床用吸込具。
【請求項２】
前記突出部の可撓性を前記ブラシ体の可撓性よりも小さく、且つ前記芯体の可撓性は、前記突出部の可撓性よりも小さくしたことを特徴とする請求項１記載の床用吸込具。
【請求項３】
前記ブラシ体と前記基部とはインサート成型にて構成されることを特徴とする請求項１記載の床用吸込具。
【発明の詳細な説明】
【技術分野】
【０００１】
本発明は、電気掃除機に接続して使用される床用吸込具の改良に関する。
【背景技術】
【０００２】
従来、この種床用吸込具として、吸込具本体に、芯体とブラシ体とから構成されるた回転ブラシを回転自在に枢支し、前記回転ブラシを電動機あるいは吸込具本体に形成された外気取入口からの空気によって回転駆動するものが知られている。そして、このブラシ体は、芯体に形成された溝にブラシ体が植毛された基部を挿入して装着されている。
【特許文献１】特開平１１−１５５７７６号公報
【発明の開示】
【発明が解決しようとする課題】
【０００３】
回転ブラシが回転すると、ブラシ体が被掃除面にある塵埃を掻き上げ、掻き上げられた塵埃は吸込口より吸引される。
しかしながら、上記の構成の回転ブラシでは、絨毯等の被掃除面を掃除する際には、ブラシ体が腰折れ状態となり、絨毯の毛の奥にある塵埃を掻き出すことができず、塵埃の吸い残しが発生するという欠点があった。
【０００４】
本発明は、上記課題を解決するためになされたものであり、ブラシ体が絨毯等の被掃除面に当たっても腰折れし難い床用吸込具を提供することを課題とする。
【課題を解決するための手段】
【０００５】
上記課題を解決するための第１の手段は、下面に吸込口を有する吸込具本体と、前記吸込口に臨ませて回転する回転ブラシと、該回転ブラシの芯体に形成された溝に基部を挿入して装着されるブラシ体とを備え、前記基部は、前記芯体の溝に挿入した状態で前記芯体の外径よりも突出する突出部を有することを特徴とする。
【０００６】
また、前記突出部の可撓性を前記ブラシ体の可撓性よりも小さく、且つ前記芯体の可撓性は、前記突出部の可撓性よりも小さくしてもよい。
【０００７】
また、前記ブラシ体と前記基部とはインサート成型にて構成されてもよい。
【発明の効果】
【０００８】
本発明の請求項１によれば、前記基部を前記芯体の溝に挿入した状態で、前記基部の突出部が前記芯体の外径よりも突出しているので、絨毯等の被掃除面に前記ブラシ体が当たっても、前記突出部により前記ブラシ体を直立状態に保持し、前記ブラシ体の腰折れを抑制することができる。従って、前記ブラシ体によって、絨毯の毛の奥にある塵埃を掻き出すことができ、塵埃の吸い残しが発生しない等の効果を奏する。
【０００９】
本発明の請求項２によれば、可撓性の大きさを、前記ブラシ体、前記突出部、前記芯体の順とすることにより、絨毯等の被掃除面においては、前記ブラシ体の腰折れを前記突出部で抑制しつつ掃除し、フローリング等の被掃除面においては、前記突出部が被掃除面に当たっても撓むため、床面の傷つけを防止できるとともに、前記基部が前記芯体の溝から外れることがない等の効果を奏する。
本発明の請求項３によれば、前記回転ブラシを簡単な加工によって製造することができる等の効果を奏する。
【発明を実施するための最良の形態】
【００１０】
本発明の実施形態を図１乃至図４に基づいて説明する。
【００１１】
１は、吸込具本体で、上ケース２、下ケース３、前記上ケース２及び下ケース３に係脱自在に係合する蓋体４、該蓋体４と前記下ケース３間に回動自在に支持される回動管から構成されている。
【００１２】
６は、前記吸込具本体１底面に形成される吸込口、７は、前記吸込具本体１内に形成される回転ブラシ収納室である。
【００１３】
８は、前記吸込口６に臨ませた状態で前記回転ブラシ収納室７内に回転自在に収納される回転ブラシで、該回転ブラシ８は、図４に示すように、芯体９と、該芯体９に形成された螺旋状の溝１０に基部１１を挿入して装着される繊維質等から成る一対のブラシ体１２と、前記溝１０に基部１３を挿入して装着される軟質ゴム等から成る一対のブレード１４とから構成されており、前記ブラシ体１２及び前記ブレード１４は前記芯体９の両端間で約９０度ねじれている。
【００１４】
前記基部１１には、前記溝１０に装着した状態で、前記芯体９の外径から突出する突出部１５が形成されている。そして、前記ブラシ体１２は、毛先が前記突出部１５から約５ｍｍ出るように前記基部１１及び前記突出部１５にインサート成形にて装着され、前記突出部１５によって直立状態に保持されている。この構成とすることにより、絨毯等の被掃除面に前記ブラシ体１２が当たっても、前記突出部１５により前記ブラシ体２の腰折れを抑制することができるため、毛の根元部分にある塵埃を前記ブラシ体１２にて確実に掻き出すことができるようになっている。また、前記基部１１を前記溝１０に挿入する際、前記ブラシ体１２が前記溝１０に引っ掛からずスムーズに挿入することができるため、作業性も向上させることができる。
【００１５】
前記基部１１及び前記突出部１５は、前記ブラシ体１２の可撓性よりも小さい材料、例えば、塩化ビニールやエラストマー等から形成されており、前記芯体９は、前記基部１１及び前記突出部１５の可撓性よりも更に小さくて剛性が強い材料、例えば、ＡＢＳ、ポリプロピレン等から形成されている。即ち、前記ブラシ体１２が最も撓みやすく、次に、前記基部１１及び前記突出部１５で、最も撓みにくいのが前記芯体９である。可撓性の大きさを前記ブラシ体１２、前記基部１１及び前記突出部１５、前記芯体９の順とすることで、絨毯等の被掃除面においては、前記ブラシ体１２の腰折れを前記突出部１５で抑制しつつ掃除し、フローリング等の被掃除面においては、前記突出部１５が被掃除面に当たっても撓むため、床面の傷つけを防止できるとともに、前記突出部１５を介して前記基部１１にストレスが加わっても、前記芯体９の溝１０が前記基部１１を保持し、前記基部１１が前記芯体９の溝１０から外れることを防止できるようになる。
【００１６】
１６は、前記吸込口６の前方に配設され、バンパー１７と一体形成されたサクションキーパーで、軟質ゴム等の可撓性を有する材料にて形成されており、該サクションキーパー１６によって深部吸込力を向上させている。前記サクションキーパー１６と前記バンパー１７とを一体で形成しているため安価に構成できる。
【００１７】
１８は、前記吸込具本体１の前面で、且つ前記サクションキーパー１６の両端に形成された筒状の吸気路で、該吸気路１８は、前記上ケース２と前記下ケース３とで形成されている。従来は、前記吸気路１８を前記下ケース３のみで形成していたが、金型が上下に抜ける範囲内でしか吸気路の長さを確保できず、吸気路を前記回転ブラシ８の前記ブラシ体１２及び前記ブレード１４の近傍まで近づけることができなかったが、前記吸気路１８を上下に分割し、前記上ケース２と前記下ケース３とで形成することにより、簡単な金型構造で前記吸気路１８を前記ブラシ体１２及び前記ブレード１４の近傍まで近づけることができ、前記吸気路１８から取り入れた空気を前記ブラシ体１２及び前記ブレード１４に当て、前記回転ブラシ８に安定した回転力を与えることができるようになっている。
【００１８】
１９は、前記吸込口６の前方の両端に設けられた前車輪、２０は、前記吸込具本体１の後部の中央に設けられた後車輪で、前記吸込具本体１が被掃除面をスムーズに移動できるようになっている。
【００１９】
２１は、前記吸込口６の後方の溝２２に装着される除去ブラシで、前記吸込具本体１の被掃除面移動時に被掃除面の塵埃を除去できるようになっている。
【００２０】
上記構成によって、掃除機本体にホース及び延長管を介して前記吸込具本体１を接続し、前記吸込具本体１を被掃除面に置いた状態で、電動送風機を駆動すると、前記吸気路１８から取り入れられた空気が前記ブラシ体１２及び前記ブレード１４に衝突し、前記回転ブラシ８が時計方向に回転する。また、前記吸気路１８からは空気だけでなく、前記吸込具本体１の前方にある塵埃も吸引できる。
【００２１】
毛先の長い絨毯等を掃除する場合は、前記ブラシ体１２が絨毯の毛先に当たっても、前記突出部１５により前記ブラシ体１２を直立状態に保持し、前記ブラシ体２の腰折れを抑制することができるため、毛の根元部分にある塵埃を前記ブラシ体１２にて確実に掻き出し、塵埃の吸い残しが発生することがない。
【００２２】
フローリング等を掃除する場合は、可撓性の大きさが前記ブラシ体１２、前記基部１１及び前記突出部１４、前記芯体９の順となっているので、前記突出部１４が被掃除面に当たっても撓むため、床面の傷つけを防止できるとともに、前記基部１１が前記芯体９の溝から外れることがない。
【００２３】
前記吸込具本体１を被掃除面から持ち上げた状態では、前記吸込口６からの吸込抵抗が小さいため、前記吸込口６からほとんどの空気が吸い込まれる。従って、前記吸気路１８からはほとんど空気が取り入れられず、前記吸込口６から吸引される空気の流速は遅く、前記回転ブラシ８はほとんど回転しない。
また、除去ブラシ２１においても、ブラシ体の腰折れを抑制するために、図５に示すように上記実施の回転ブラシ８の形態を除去ブラシ２１に用いても構わない。
【図面の簡単な説明】
【００２４】
【図１】本発明の実施の形態を示す床用吸込具本体の中央断面図である。
【図２】同床用吸込具本体の底面図である。
【図３】図２におけるＡ−Ａ断面図である。
【図４】同回転ブラシの断面図である。
【図５】他の実施の形態を示す床用吸込具本体の中央断面図である。
【符号の説明】
【００２５】
６        吸込口
１        吸込具本体
８        回転ブラシ
９        芯体
１０      溝
１１      基部
１５      突出部
【図１】
2006122065.tif 000003
【図２】
2006122065.tif 000004
【図３】
2006122065.tif 000005
【図４】
2006122065.tif 000006
【図５】
2006122065.tif 000007